(57)【要約】      （修正有）【課題】デザイン性及び安全性を確保しつつ、設計の自由度を向上する。【解決手段】実施形態にかかる認証システムは、読取装置と、表示装置と、フラップ２０とを備える。読取装置は、個人の認証用情報を読み出す。表示装置は、透明フィルムと、透明フィルムに設けられる透過性を有する導体と、導体に接続される複数の発光素子とを有する表示装置を備え、読取装置により読み出された認証用情報を用いた認証結果に応じた画像を表示する。前記フラップには、表示装置が設けられ、前記フラップは、認証結果に応じて開閉する。なお、写真、図形、記号、模様及び文字、及びこれらの２つ以上の組み合わせなどが、静止画像及び動画像として前記フラップに表示される。【選択図】図９
2019219862.tif 000002
【特許請求の範囲】
【請求項１】
個人の認証用情報を読み出す読取装置と、
透明フィルムと、透明フィルムに設けられる透過性を有する導体と、前記導体に接続される複数の発光素子とを備える表示装置を有し、前記読取装置により読み出された認証用情報を用いた認証結果に応じた画像を表示する透明な表示装置と、
前記認証結果に応じて開閉し、前記表示装置が取り付けられる透明なフラップと、
を備える認証システム。
【請求項２】
少なくとも一部に透明な部分を有し、前記フラップが設けられるゲート本体を備え、
前記ゲート本体の前記透明な部分に、前記表示装置が取り付けられる請求項１に記載の認証システム。
【請求項３】
開いた前記フラップは、前記ゲート本体の前記透明な部分に重なり、前記フラップの表示装置に表示された画像と、前記ゲート本体の表示装置に表示された画像とが組み合わされる、
請求項２に記載の認証システム。
【請求項４】
前記表示装置は、複数の前記表示装置を備え、
前記表示装置は重ねて配置される請求項１〜３のいずれか一項に記載の認証システム。
【請求項５】
前記画像は動画像を含む、
請求項１〜４のいずれか１項に記載の認証システム。
【請求項６】
透明フィルムと、透明フィルムに設けられる透過性を有する導体と、前記導体に接続される複数の発光素子とを備える表示装置と、
前記表示装置が設けられるフラップと、
を備える自動ドア。
【発明の詳細な説明】
【技術分野】
【０００１】
本発明は、認証システム及び自動ドアに関する。
【背景技術】
【０００２】
近年は、ガラスなどからなる透明なフラップを備えるセキュリティゲートが登場するに至っている。この種のセキュリティゲートはデザイン性に優れる。しかしながら、透明なフラップなどに、認証結果などを示す表示装置を取り付けるとデザイン性が損なわれる。そのため、この種の表示装置は、取り付け位置や大きさが限られてしまっていた。また、透明な素材は設置場所や周囲の明るさなどによっては、人の目から、見えなくなってしまったり、見にくくなったりしまうことがあった。そのため、利用者の安全を確保する観点から、透明な部分には、衝突を防止するためのシールなどを貼り付ける必要があった。
【０００３】
例えば、特許文献１は、ガラス、透明樹脂などの透明な部材を用いた認証システムを開示する。また、例えば、特許文献２，３は、このような認証システムにも使用できる表示装置を開示する。
【先行技術文献】
【特許文献】
【０００４】
【特許文献１】特開２０１０−１９６４２８号公報
【特許文献２】国際特許公報ＷＯ２０１６／０４７１３２
【特許文献３】国際特許公報ＷＯ２０１６／０４７１３３
【発明の概要】
【発明が解決しようとする課題】
【０００５】
本発明の実施形態は、デザイン性及び安全性を確保しつつ、設計の自由度を向上することを課題とする。
【課題を解決するための手段】
【０００６】
上記課題を解決するために、実施形態にかかる認証システムは、読取装置と、表示装置と、フラップとを備える。読取装置は、個人の認証用情報を読み出す。表示装置は、透明フィルムと、透明フィルムに設けられる透過性を有する導体と、導体に接続される複数の発光素子とを有する表示装置を備え、読取装置により読み出された認証用情報を用いた認証結果に応じた画像を表示する。フラップには、表示装置が設けられ、フラップは、認証結果に応じて開閉する。
【図面の簡単な説明】
【０００７】
【図１】第１の実施形態に係るセキュリティゲートの斜視図。
【図２】フラップの正面図。
【図３】表示装置の平面図。
【図４】表示装置の第１の側面図。
【図５】表示装置の第２の側面図。
【図６】ゲートユニットの側面図。
【図７】制御装置のハードウェア構成を示す図。
【図８】フラップが開いた状態のセキュリティゲートの斜視図。
【図９】セキュリティゲートの動作を説明するための図。
【図１０】第２の表示装置の動作を説明するための図。
【図１１】第３の表示装置の動作を説明するための図。
【図１２】第４の表示装置の展開斜視図。
【図１３】第５の表示装置をフラップとともに示す図。
【図１４】第５の表示装置における発光素子付近の導体パターンを示す図。
【図１５】セキュリティゲートにおける第２の実施形態にかかる表示を示す第１の図。
【図１６】セキュリティゲートにおける第２の実施形態にかかる表示を示す第２の図。
【図１７】セキュリティゲートにおける第３の実施形態にかかる表示を示す図。
【図１８】セキュリティゲートにおける第４の実施形態にかかる表示を示す第１の図。
【図１９】セキュリティゲートにおける第４の実施形態にかかる表示を示す第２の図。
【図２０】セキュリティゲートにおける第４の実施形態にかかる表示を示す第３の図。
【図２１】セキュリティゲートにおける第４の実施形態にかかる表示を示す第４の図。
【図２２】ゲート本体の透明板に取り付けられた表示装置を示す図。
【図２３】セキュリティゲートにおける第５の実施形態にかかる表示を示す第１の図。
【図２４】セキュリティゲートにおける第５の実施形態にかかる表示を示す第２の図。
【図２５】セキュリティゲートにおける第５の実施形態にかかる表示を示す第３の図。
【図２６】２枚の透明板の間に表示装置とプリズム形の枠とを挟んで構成されるフラップの断面図。
【図２７】セキュリティゲートにおける第６の実施形態にかかる表示を示す図。
【図２８】セキュリティゲートにおける第７の実施形態にかかる表示を示す第１の図。
【図２９】セキュリティゲートにおける第７の実施形態にかかる表示を示す第２の図。
【図３０】表示装置が応用された自動ドアを示す図。
【図３１】フラップのゲート本体への取り付け方法の変形例を示す第１の図。
【図３２】フラップのゲート本体への取り付け方法の変形例を示す第２の図。
【図３３】フラップへの表示の変形例を示す第１の図。
【図３４】フラップへの表示の変形例を示す第２の図。
【図３５】フラップへの表示の変形例を示す第３の図。
【図３６】フラップへの表示の変形例を示す第４の図。
【図３７】フラップ及び透明板への表示を示す第１の図。
【図３８】フラップ及び透明板への表示を示す第２の図。
【図３９】フラップ及び透明板への表示を示す第３の図。
【図４０】フラップ及び透明板への表示の変形例を示す図。
【発明を実施するための形態】
【０００８】
以下、本発明を実施するための形態を、図面を参照しながら詳細に説明する。説明にあたっては、相互に直交するＸ軸、Ｙ軸、Ｚ軸からなる直交座標系を適宜用いる。
【０００９】
≪第１の実施形態≫
図１は、第１の実施形態にかかるセキュリティゲート１の斜視図である。セキュリティゲート１は、商業ビルやオフィスビルなどの共有スペースと専有スペースとの間で出入りする人を認証し、人の出入りを制限する。専有スペースは、商業ビルにテナントとして入っている小売店の売り場、オフィスビルにテナントとして入っている企業の受付などである。また、共有スペースは、廊下、階段、エレベータホール、ロビーなどである。セキュリティゲート１は、占有スペースと共有スペースとを区分するフェンスなどに設けられる。以下の実施形態では、セキュリティゲート１の−Ｙ側が共有スペースで、＋Ｙ側が専有スペースとなる。
【００１０】
セキュリティゲート１は、１組のゲートユニット１０Ａ，１０Ｂを有する。ゲートユニット１０Ａは、ＹＺ面に平行なサイドウォル１０、及びサイドウォル１０に対し起伏回動するフラップ２０を有する。
【００１１】
サイドウォル１０は、占有スペースと共有スペースとの通路を規定するユニットである。サイドウォル１０は、金属製のフレーム１１と、フレーム１１に設けられる透明板１２，１３と、フレーム１１に設けられるセンサ１４及び読取装置１５などとを有する。
【００１２】
フレーム１１は、長手方向をＸ軸方向とし床面に固定される固定部１１ａと、この固定部１１ａに設けられ、Ｚ軸方向を長手方向とする支持柱１１ｂと、Ｘ軸方向を長手方向とし、支持柱１１ｂによって、固定部１１ａの上方に支持されるガイド１１ｃの３部分を有する。フレーム１１を構成する固定部１１ａ、支持柱１１ｂ、及びガイド１１ｃは、内部が中空の部材を有し、それぞれの内部空間は相互に連絡する。
【００１３】
透明板１２，１３は、長手方向をＹ軸方向とする長方形板状の部材である。透明板１２，１３は、アクリル、ガラスなどからなり、可視光に対する光透過性を有する。透明板１２，１３は、フレーム１１を構成する固定部１１ａ、支持柱１１ｂ、及びガイド１１ｃによって、ＹＺ面に平行になった状態で支持される。
【００１４】
センサ１４は、ゲートユニット１０Ａの近傍に位置する人を検知し、この検知の結果に応じた信号を出力する。センサ１４は、ガイド１１ｃの−Ｙ側端部に設けられる。
【００１５】
読取装置１５は、通行証やカードに設けられたバーコードなどの二次元コード、又はＩＤカードからの認証用情報を読み取って、読み取った認証用情報を示す信号を出力する。読取装置１５は、上記認証用情報を読み取るためのスキャナが露出した状態で、ガイド１１ｃの−Ｙ側端部に設けられる。
【００１６】
フラップ２０は、正方形板状の部材である。フラップ２０は、透明板１２，１３と同様に、アクリル、ガラスなどから構成され、可視光に対する透過性を有する。フラップ２０は、フレーム１１の支持柱１１ｂに設けられる駆動機構８０（図７参照）によって、支持柱１１ｂを中心に起伏回動可能に支持される。駆動機構８０は、モータ、モータからの動力をフラップ２０に伝えるリンク機構などを有する。
【００１７】
図２は、フラップ２０の正面図である。図２に示されるように、フラップ２０には、第１の表示装置５０が設けられる。図３は、表示装置５０の平面図である。図３に示されるように、表示装置５０は、所定の図形や文字を表示するように配置された複数の発光素子６０を点灯させることにより、当該図形や文字の画像を表示する。本実施形態では、発光素子６０は、通行の禁止を示すＸ形の図形の画像を表示するように配置される。
【００１８】
図４は、表示装置５０の−Ｘ側の側面を示す図である。また、図５は、表示装置５０の−Ｚ側の側面を示す図である。図４及び図５に示されるように、表示装置５０は、透明フィルム５１，５２、導体層５３、中間樹脂５５、及び複数の発光素子６０を有する。
【００１９】
透明フィルム５１，５２は、正方形に整形されたフィルムである。透明フィルム５１，５２は、厚さが５０〜３００μｍ程度であり、可視光に対する透過性を有する。透明フィルム５１，５２としては、ポリエチレンテレフタレート（ＰＥＴ）、ポリエチレンナフタレート（ＰＥＮ）、ポリカーボネート（ＰＣ）、ポリエチレンサクシネート（ＰＥＳ）、アートン（ＡＲＴＯＮ）、アクリル樹脂などが用られ得る。
【００２０】
透明フィルム５１の上面には、導体層５３が形成される。導体層５３は、透光性を有するメッシュパターン或いはＩＴＯ（Indium Tin Oxide）などの透明な導体からなる。導体層５３は、図３に示されるように、各発光素子６０のアノード電極又はカソード電極に接続される複数の導体パターン１０１〜１１３からなる。複数の導体パターン１０１〜１１３は、それぞれ長手方向をＸ軸方向とする長方形に整形され、Ｚ軸方向に等間隔に並んでいる。また、導体パターン１０１，１０７，１１３は、透明フィルム５１の＋Ｘ側端部の上方に引きまわされる。表示装置５０では、図５に示されるように、透明フィルム５２のＸ軸方向の寸法の方が、透明フィルム５１のＸ軸方向の寸法よりも短く、透明フィルム５１に形成された導体層５３の＋Ｘ側端部が露出した状態になる。そのため、導体パターン１０１，１０７，１１３は、透明フィルム５１の−Ｘ側端部の上方で露出した状態になる。なお、図３には、長方形の導体パターン１０１〜１１３が示されているが、長方形の導体パターン１０１〜１１３は、発光素子６０の配列などに応じて、長方形以外の形状をとり得る。
【００２１】
表示装置５０では、導体パターン１０７と、導体パターン１０１，１１３の間に、発光素子６０の種類、数、動作電圧などに応じた電圧、例えば１５Ｖ程度の直流電力が供給される。
【００２２】
導体層５３の上面には、複数の発光素子６０が配置される。発光素子６０は、図３に示されるように、一辺の長さが０．３ｍｍ程度の正方形のＬＥＤである。発光素子６０の片側の面（＋Ｙ側の面）には、カソードとアノードが形成される。発光素子６０は、−Ｙ側の面と＋Ｙ側の面の双方が発光する。発光素子６０の定格電流は、５０ｍＡ程度である。なお、発光素子６０が、熱抵抗の大きい透明フィルムＬＥＤであるときには、その定格電流は１０ｍＡ程度である。
【００２３】
上述のように構成される発光素子６０は、導体層５３を構成する導体パターン１０１〜１１３のうちいずれか２つの導体パターンにわたって配置される。導体パターン１０１〜１１３のうち同一の導体パターン同士に配置される発光素子６０は並列に接続された状態になる。また、導体パターン１０１〜１０７のうち異なる導体パターン同士に配置される発光素子６０が直列に接続された状態になる。同様に、導体パターン１０７〜１１３のうち異なる導体パターン同士に配置される発光素子６０が直列に接続された状態になる。
【００２４】
図４及び図５に示されるように、中間樹脂５５は、透明フィルム５１，５２の間に配置される。樹脂層２４は、可視光に対する透過性を有する。中間樹脂５５は、熱可塑性の樹脂、例えば熱可塑性のエラストマーである。中間樹脂５５に用いられるエラストマーとしては、アクリル系エラストマー、オレフィン系エラストマー、スチレン系エラストマー、エステル系エラストマー、ウレタン系エラストマーなどが考えられる。
【００２５】
上述のように構成される表示装置５０は、透明な接着剤によって、フラップ２０に接着される。表示装置５０は、一辺が０．３ｍｍの発光素子６０以外は透明な部材で構成される。そのため、フラップ２０は、表示装置５０が接着されたとしても、ほぼ透明に見える。
【００２６】
図５に示されるように、表示装置５０では、透明フィルム５２の＋Ｘ側から露出する導体層５３にフレキシブルケーブル７０が接続される。フレキシブルケーブル７０は、可撓性を有するベース基板７１と、ベース基板７１に形成される導体層７５と、導体層７５を被覆する保護層７２から構成される。図５に示されるように、導体層７５は、３つの導体パターン７５１，７５２，７５３から構成される。導体パターン７５１，７５２，７５３それぞれは、導体パターン１０１，１０７，１１３に接続される。図２に示されるように、フレキシブルケーブル７０は、フレーム１１の内部に敷設される。フレキシブルケーブル７０によって、表示装置５０は後述する制御装置３０に接続される。
【００２７】
図６は、ゲートユニット１０Ａの側面図である。図６に示されるように、ゲートユニット１０Ａを構成するフレーム１１の固定部１１ａには、制御装置３０が配置される。図７は、制御装置３０のハードウェア構成を示す図である。図７に示されるように、制御装置３０は、演算処理回路３０ａ、主記憶部３０ｂ、補助記憶部３０ｃ、インタフェース３０ｄ、及びこれらを接続するバス３０ｅなどを有するコンピュータである。
【００２８】
主記憶部３０ｂは、ＲＡＭ（Random Access Memory）などから構成され、演算処理回路３０ａの作業領域として用いられる。また、補助記憶部３０ｃは、ＲＯＭ（Read Only Memory）やハードディスクなどからなり、演算処理回路３０ａが実行するプログラムや、演算処理回路３０ａによる処理結果などを記憶する。
【００２９】
インタフェース３０ｄは、アナログインタフェース、デジタルインタフェース、或いはＬＡＮインタフェースなどを備える。センサ１４、読取装置１５、表示装置５０、駆動機構８０は、インタフェース３０ｄを介して、制御装置３０に接続される。
【００３０】
演算処理回路３０ａは、センサ１４及び読取装置１５の出力に基づいて、表示装置５０及び駆動機構８０を制御する。
【００３１】
図１に戻り、ゲートユニット１０Ｂも、ゲートユニット１０Ａと同様に，ＹＺ面に平行なサイドウォル１０、及びサイドウォル１０に対し起伏回動するフラップ２０を有する。ゲートユニット１０Ａ，１０Ｂは、図１に示されるように、サイドウォル１０がそれぞれ平行になり、フラップ２０のＹ軸方向の位置が一致した状態でフロアに設置される。
【００３２】
また、ゲートユニット１０Ｂのセンサ１４，読取装置１５、表示装置５０、駆動機構８０は、ゲートユニット１０Ａの制御装置３０に接続される。このため、ゲートユニット１０Ａ，１０Ｂの構成部は、制御装置３０によって制御される。制御装置３０は、ゲートユニット１０Ａ，１０Ｂの駆動機構８０を制御して、それぞれのフラップ２０を、図１に示される状態から図８に示される状態になるまで回動させることにより、フラップ２０を開かせ得る。また、制御装置３０は、駆動機構８０を制御して、それぞれのフラップ２０を、図８に示される状態から図１に示される状態になるまで回動させることによりフラップ２０を閉じさせ得る。
【００３３】
次に、上述のように構成されるセキュリティゲート１の動作を説明する。前提として、フラップ２０は、図１に示されるように閉じている。
【００３４】
制御装置３０は、セキュリティゲート１に電源が供給されて起動されると、センサ１４，読取装置１５からの信号を受信する。制御装置３０は、センサ１４からの信号に基づいて、セキュリティゲート１に人が近付いてきたときに、ゲートユニット１０Ａ，１０Ｂの各フラップ２０に設けられた表示装置５０を駆動する。具体的には、この駆動は、フレキシブルケーブル７０の導体パターン７５２と導体パターン７５１，７５３の間に、発光素子６０の種類、数、動作電圧などに応じた電圧の直流電力を供給することにより行われる。これにより、表示装置５０の発光素子６０が発光して、図９に示されるように、ゲートユニット１０Ａ，１０Ｂの各フラップ２０に、Ｘ形の図形の画像が表示される。表示装置５０に表示されるＸ形の図形の画像は、フラップ２０の−Ｙ側及び＋Ｙ側の両側から視認できる。
【００３５】
この状態のときに、制御装置３０は、読取装置１５からの信号に、通行しようとする人が所持するＩＤカードに固有に割り当てられる認証用情報が含まれる場合などには、この認証用情報を抽出する。そして、認証用情報に基づいて、この人の認証を行い、その通行を許可するか否かを判断する。
【００３６】
制御装置３０は、通行しようとする人を認証し、その通行を許可すると判断した場合には、表示装置５０の駆動を停止し、駆動機構８０を介して、フラップ２０を一定の時間開く。これにより、フラップ２０に表示されていたＸ形の図形の画像が消えて、フラップ２０が一定時間だけ開放される。これにより、通行しようとする人は、セキュリティゲート１を通過できるようになる。制御装置３０は、通行しようとする人がセキュリティゲート１を通過するか、或いはフラップ２０が開いてから一定の時間が経過すると、駆動機構８０を制御して、フラップ２０を閉じさせる。
【００３７】
また、制御装置３０は、通行しようとする人を認証せず、その通行を許可しないと判断した場合には、表示装置５０の駆動を継続する。これにより、フラップ２０へのＸ形の図形の画像の表示が継続する。
【００３８】
以上説明したように、本実施形態に係るセキュリティゲート１では、表示装置５０がフラップ２０に設けられる。そのため、図１におけるガイド１１ｃ等に設けられる従来の表示装置に比較して、表示装置を大型化することができ、視認性を大幅に向上させることができる。その結果、フラップ２０の安全性を確保できる。
【００３９】
表示装置５０は、一辺が０．３ｍｍ程度の発光素子６０以外は透明な部材で構成される。そのため、フラップ２０などが透明であっても、デザイン性を損なうことがない。また、表示装置を大型化できるので、種々の文字や図形などの画像を表示できる。したがって、設計の自由度を向上させられる。
【００４０】
第１の実施形態では、セキュリティゲート１を通過することができない状態のときに、フラップ２０にＸ形の図形の画像が表示されることとした。これに限らず、セキュリティゲート１を通過できる状態のときに円形の図形の画像を表示することとしてもよい。
【００４１】
Ｘ形の図形の画像を表示する表示装置５０と、透明で円形の図形の画像を表示する第２の表示装置５０（不図示）とを重ねてフラップ２０に設けることにより、セキュリティゲート１を通過できる状態のときに円形の図形の画像を表示できる。図形の画像を表示する表示装置は、図３に示された発光素子６０の配列を、Ｘ形から円形に変更することにより得られる。具体的には、制御装置３０は、通行しようとする人を認証し、その通行を許可すると判断した場合には、図１０を参照するとわかるように、表示装置５０の駆動を停止するとともに、図形の画像を表示する表示装置を駆動することにより、フラップ２０に表示されたＸ形の図形の画像の表示を停止して、フラップ２０に円形の図形の画像を表示できる。
【００４２】
円形の画像を表示する表示装置は、フラップ２０に設けられた表示装置５０に重ねて接着できる。また、フラップ２０の一側の面に表示装置５０を接着し、フラップ２０の他側の面に円形の画像を表示する表示装置を接着してもよい。表示装置５０及び円形の画像を表示する表示装置の双方が透明であるため、状況に応じて自由に設計できる。
【００４３】
図３に示された発光素子６０を、矢形の図形の輪郭にそって配列することにより、矢印の図形の画像を表示する第３の表示装置５０（不図示）を構成できる。第３の表示装置５０を、表示装置５０及び第２の表示装置５０とともに、フラップ２０に設けることにより、セキュリティゲート１のフラップ２０が開いた時に、通行方向を示す矢形の図形の画像を表示できる。具体的には、制御装置３０は、通行しようとする人の通行を許可すると判断した場合には、駆動機構８０を制御してフラップ２０を開かせ、さらに、第３の表示装置５０を駆動することにより、図１１に示されるように、フラップ２０に通行方向を示す矢形の図形の画像を表示できる。第３の表示装置５０は、フラップ２０に設けられた第１の表示装置５０及び第２の表示装置５０等に重ねて接着したり、フラップ２０に直接、接着したりできる。
【００４４】
第１の実施形態では、発光素子６０を備える１つのモジュールからなる表示装置５０を説明した。これに限らず、表示装置は、図１２に示される第４の表示装置５０Ｃのように、赤色、緑色、青色にそれぞれ発光する発光素子６０Ｒ，６０Ｇ，６０Ｂを備える表示装置５０１，５０２，５０３から構成されていてもよい。表示装置５０１，５０２，５０３は、透明な接着剤によって接着される。表示装置５０Ｃでは、表示装置５０１，５０２，５０３を選択的に駆動することにより、赤色、緑色及び青色の３色の光を組み合わせて画像を表示でき、白色や中間色で文字等の画像を表示できる。
【００４５】
≪第２の実施形態≫
以下、第２の実施形態にかかる表示を説明する。なお、以下の各実施形態にかかるセキュリティゲート１においては、図１３に示される第５の表示装置５０Ｄが用いられる。
【００４６】
第１の実施形態では、表示装置５０の発光素子６０は、図３に示されたようにＸ形の図形等の輪郭に沿って配置される。この表示装置５０は、図１３に示される第５の表示装置５０Ｄに置き換えられ得る。表示装置５０Ｄにおいては、赤色、緑色及び青色（Ｒ，Ｇ，Ｂ）の３種類の発光素子６０Ｒ，６０Ｇ，６０Ｂそれぞれを１つずつ含む組み合わせが、マトリクス状に配置される。
【００４７】
図１４に示されるように、表示装置５０Ｄの１組の発光素子６０Ｒ，６０Ｇ，６０Ｂの近傍において、導体層５３は、導体パターン１４０，１４１，１４２，１４３，１４４，１４５からなる。導体パターン１４０には、発光素子６０Ｒ，６０Ｇ，６０Ｂのアノードが共通に接続される。導体パターン１４１には、発光素子６０Ｒのカソードが接続され、導体パターン１４２には、発光素子６０Ｇのカソードが接続され、導体パターン１４３には、発光素子６０Ｂのカソードが接続される。導体パターン１４４，１４５は、他の発光素子６０Ｒ，６０Ｇ，６０Ｂの配線などのために用いられる。発光素子６０Ｒ，６０Ｇ，６０Ｂそれぞれは、導体パターン１４１〜１４３への選択的な正電圧の直流電力の供給により個別に点灯され得る。これにより、制御装置３０は、表示装置５０Ｄに、任意の写真、図形、文字及びこれらの組み合わせを含む動画像及び静止画像を、赤色、緑色及び青色のいずれかの光の色、又はこれらのうちの２つ以上の光の混合色により表示できる。
【００４８】
図１５，図１６は、第２の実施形態にかかる表示を示す第１及び第２の図である。セキュリティゲート１において、図１などに示された−Ｙ側から＋Ｙ側への人の通行も、＋Ｙ側から−Ｙ側への人の通行も許す設定が制御装置３０になされる。さらに、制御装置３０に、読取装置１５から得られた認証用情報を用いた認証を行う設定がなされる。つまり、この設定においては、認証されさえすれば、共有スペースから専有スペースへの人の通行も、専有スペースから共有スペースへの人の通行も許される。なお、この設定においては、セキュリティゲート１のセンサ１４により、近づいてきた人が検出されない限り、フラップ２０に取り付けられた表示装置５０Ｄのいずれにも何らの表示もなされない。
【００４９】
このような設定において、センサ１４が、セキュリティゲート１の−Ｙ側から近づいてきた人、つまり、共有スペースから専有スペースへの方向に通行しようとする人を検出する。この場合、制御装置３０は、図１５に示されるように、近づいてきて、読取装置１５から得られた認証用情報を用いた認証がなされた人に対して、専有スペースを訪れることを歓迎する「Ｗｅｌｃｏｍｅ」の文字の画像を、フラップ２０に取り付けられた表示装置５０Ｄに表示させる。さらに、制御装置３０は、駆動機構８０を制御して、画像が表示されたフラップ２０を開かせる。
【００５０】
一方、このような設定において、センサ１４が、セキュリティゲート１の＋Ｙ側から近づいてきた人、つまり、専有スペースから共有スペースへの方向に通行しようとする人を検出する。この場合には、制御装置３０は、図１６に示されるように、近づいてきて、読取装置１５から得られた認証用情報を用いた認証がなされた人に、この専有スペースを訪れたことを感謝する「Ｔｈａｎｋ  Ｙｏｕ！」の文字の画像を、フラップ２０に取り付けられた表示装置５０Ｄに表示させる。さらに、制御装置３０は、駆動機構８０を制御してフラップ２０を開かせる。
【００５１】
なお、各実施形態において、制御装置３０は、駆動機構８０に開かせたフラップ２０を、予め決められた時間の経過の後に閉じさせる。また、各実施形態において、センサ１４が人を検出しなくなり、人が通過した後に遠ざかったことが判明して予め決められた時間が経過したなど、予め決められた条件がそろった場合、制御装置３０は、表示装置５０Ｄへの表示を初期の状態に戻す。
【００５２】
≪第３の実施形態≫
以下、第３の実施形態にかかる表示を説明する。図１７は、第３の実施形態にかかる表示を示す図である。
【００５３】
商業施設において、セキュリティゲート１には、透明さだけではなく、光学的な装飾効果が求められることがある。このような場合、制御装置３０は、図１７に示されるように、人が近づいてきたことが検出されない間、フラップ２０に取り付けられた表示装置５０Ｄに、装飾のための模様を表示させる。なお、この場合において、人が近づいてきたことが検出され、近づいてきた人の認証が行われたとき、制御装置３０は、フラップ２０に取り付けられた表示装置５０Ｄの表示を、図９，図１０，図１５，図１６に示されたように変更する。さらに、制御装置３０は、駆動機構８０を制御して、フラップ２０を開かせる。
【００５４】
≪第４の実施形態≫
以下、第４の実施形態にかかる表示を説明する。図１８，図１９，図２０，図２１は、第４の実施形態にかかる表示を示す第１〜第４の図である。なお、図１８〜図２１には、フラップ２０が、完全に開かれ、透明板１３に重ねられた場合が示される。
【００５５】
セキュリティゲート１の−Ｙ側から＋Ｙ側への人の通行、つまり、共有スペースから専有スペースへの人の通行のみを許すための設定が制御装置３０になされる。さらに、制御装置３０に、読取装置１５から得られた認証用情報を用いた認証を行う設定がなされる。なお、この設定においては、セキュリティゲート１へ人が近づいてきたことが検出されない限り、フラップ２０に取り付けられた表示装置５０Ｄのいずれにも何らの表示もなされない。
【００５６】
このような設定において、センサ１４が、セキュリティゲート１の−Ｙ側から人が近づいてきたことを検出する。さらに、近づいてきた人が読取装置１５から得られた認証用情報により認証される。この場合、制御装置３０は、駆動機構８０を制御して、フラップ２０が閉じた状態から完全に開いた状態にさせつつ、図１８〜図２１に示されるように、フラップ２０に取り付けられた表示装置５０Ｄへの画像の表示を行う。つまり、制御装置３０は、セキュリティゲート１により許可される通行方向を示す「＞」形の図形の画像を、フラップ２０に取り付けられた表示装置５０Ｄに、図１８〜図２１に示された数、これらの図に示された順番で、予め決められた時間間隔、例えば、０．２５秒間隔で表示させる。さらに、制御装置３０は、駆動機構８０を制御して、フラップ２０を開かせる。
【００５７】
このような表示は、図２１に示された表示が終了した後、図１８に示された表示に戻って繰り返される。つまり、この場合には、制御装置３０は、フラップ２０に取り付けられ、フレーム１１により支持された透明板１３に重ねられた表示装置５０Ｄに、セキュリティゲート１の通行方向を１つ以上の図形の画像の動きとして示す動画像を、繰り返して表示させることになる。
【００５８】
≪第５の実施形態≫
以下、第５の実施形態にかかる表示を説明する。図２２は、セキュリティゲート１において、フレーム１１により支持された透明板１３に取り付けられた表示装置５０Ｄを示す図である。図２３，図２４，図２５は、第５の実施形態にかかる表示を示す第１〜第３の図である。
【００５９】
なお、図２２には、透明板１３に、表示装置として取り付けられた表示装置５０Ｄが示される。また、図２３〜図２５には、フラップ２０が完全に開かれ、透明板１３に重ねられた場合の表示の態様が示される。
【００６０】
図２２に示されるように、フレーム１１により支持された透明板１３に表示装置５０Ｄが取り付けられ得る。セキュリティゲート１の−Ｙ側から＋Ｙ側への人の通行、つまり、共有スペースから専有スペースへの人の通行のみを許すための設定が制御装置３０になされる。さらに、制御装置３０に、読取装置１５により得られた認証用情報を用いた認証を行う設定がなされる。なお、この設定においては、セキュリティゲート１へ人が近づいてきたことが検出されない限り、フラップ２０に取り付けられた表示装置５０Ｄのいずれにも何らの表示もなされない。
【００６１】
このような設定において、センサ１４が、セキュリティゲート１の−Ｙ側から人が近づいてきたことを検出する。さらに、読取装置１５が、認証のための情報を読み取る。近づいてきた人が認証された場合には、制御装置３０は、駆動機構８０を制御してフラップ２０を開かせつつ、通行が許可される方向を示す「＞」形の図形の画像を３つ、図２３に示されるように、フラップ２０に取り付けられた表示装置５０Ｄに表示する。同時に、この場合、制御装置３０は、通行を許可する方向を示す「＞」形の図形の画像を３つ、図２４に示されるように、透明板１３に取り付けられた表示装置５０Ｄに、水平にずらして表示する。
【００６２】
完全に開かれたフラップ２０及び透明板１３に取り付けられた表示装置５０Ｄが重なりあうと、セキュリティゲート１を通行しようとする人からは、図２５に示されるように、６つの図形の画像が見えることになる。つまり、フラップ２０と透明板１３とが重ね合わされると、フラップ２０及び透明板１３に取り付けられた表示装置５０Ｄに表示された図形の画像も重ね合わされて表示される。
【００６３】
≪第６の実施形態≫
以下、第６の実施形態にかかる表示を説明する。図２６は、２枚の透明板２００の間に、表示装置５０Ｄと、プリズム形の枠２０２とを挟んだフラップ２０の構成を示す図である。図２７は、第６の実施形態にかかる表示を示す図である。
【００６４】
図２６に示されるように、フラップ２０を２枚の透明板２００により構成し、表示装置５０Ｄが、これら２枚の透明板２００の間に挟み込まれてもよい。図２６に示された表示装置５０Ｄに示された枠２０２は、プリズム形の断面を有し、発光素子６０から透明フィルム５１，５２と水平な方向に漏れて出射された光を、透明フィルム５１，５２と垂直な方向に反射する。図２６に示されたフラップ２０の表示装置５０Ｄに、図１０に示された図形の画像が表示されると、セキュリティゲート１を通行しようとする人からは、図２７に示されるように、枠２０２に囲まれた図形の画像が見えることになる。
【００６５】
≪第７の実施形態≫
以下、第７の実施形態にかかる表示を説明する。図２８，図２９は、第７の実施形態にかかる表示を示す第１，第２の図である。図２８に示されるように、セキュリティゲート１の２つのフラップ２０それぞれに、＋Ｙ側及び−Ｙ側の両方から表示装置５０Ｄが取り付けられる。セキュリティゲート１を通行する人がいないときに、制御装置３０は、２つのフラップ２０それぞれに、＋Ｙ側から取り付けられた表示装置５０Ｄに、人の進行方向を示す上向きの矢印の図形の画像を表示する。また、セキュリティゲート１を通行する人がいないときに、制御装置３０は、２つのフラップ２０それぞれに、＋Ｙ側から取り付けられた表示装置５０Ｄに、人の進行方向を示す上向きの矢印の図形の画像を、位置をずらして表示する。
【００６６】
図４，図５に示されたように、表示装置５０Ｄの発光素子６０は、表示装置５０Ｄの両面に光を出射する。一方、発光素子６０から出射された光は、フラップ２０及び表示装置５０Ｄの表面で反射もされる。従って、セキュリティゲート１に近づく人からは、発光素子６０から直接に射出された光と、反射された光との両方が見える。この結果、図２９に示されるように、フラップ２０に表示された画像があたかも立体的で、しかも、深い奥行があるかのような印象を、セキュリティゲート１を通過する人に与え得る。また、フラップ２０の両側それぞれに取り付けられた表示装置５０Ｄに表示された画像を、フラップ２０の動きと同期して変化させたり、点滅させたりすると、さらに印象的な演出がなされ得る。
【００６７】
≪第８の実施形態≫
以下、第８の実施形態として、表示装置５０Ｄの自動ドア９への応用を説明する。図３０は、表示装置５０Ｄが応用された自動ドア９を示す図である。図３０に示されるように、表示装置５０Ｄは、自動ドア９が動作したときに、人や物への衝突を防ぐ防護柵９２の下部に取り付けられる。自動ドア９において、表示装置５０Ｄには、図９，図１０に示されたような図形の画像を、自動ドア９を通行する人に表示する。なお、自動ドア９に読取装置１５をさらに設けることにより、通行しようとする人の認証、及び認証されたか否かに応じた通行の許可又は不許可も可能である。
【００６８】
以上説明した各実施形態によれば、通常状態ではフラップの光の透過性を高く保ち、必要に応じて、セキュリティゲート又は自動ドアを通行する人にとって理解しやすく効果的な表示をすることができる。また、実施形態によれば、表示装置の透過性を高くすることにより、赤外線センサ、画像認識用カメラなどのセキュリティゲートへの配置を容易にでき、また、これらの配置のための設計も容易にできる。従って、実施形態によれば、デザイン性及び安全性を確保しつつ、設計の自由度を向上することができる。
【００６９】
以下、第１〜第８の実施形態の変形例を説明する。図１３などに示されたフレーム１１の中のフレキシブルケーブル７０には、フラップ２０が回転するときに、捻じれ及び張力が発生する可能性がある。このような捻れ及び張力はフレキシブルケーブル７０の配線の断線の原因となり得る。フレーム１１の中のフレキシブルケーブル７０に、適度な撓みが与えられると、このような断線が予防される。或いは、フラップ２０が１方向のみに回転させられるときには、フレキシブルケーブル７０を、予めその回転と逆方向に捩じると、このような断線が予防される。
【００７０】
図３１，図３２は、フラップ２０のフレーム１１への取り付けの変形例を示す第１及び第２の図である。図３１に示されるように、フラップ２０がフレーム１１に取り付けられる部分に、フレキシブルケーブル７０と表示装置５０Ｄとの接続部分を隠し、また、強化する補強板７８が付加されてもよい。
【００７１】
なお、フラップ２０において目立たないように隠すなどの工夫ができれば、表示装置５０Ｄをフラップ２０にネジ止めしてもよい。また、衝突防止マークを付けているときには、その衝突防止マークを利用して、フラップ２０と表示装置５０Ｄとのネジ止め部分を隠してもよく、或いは、衝突防止マーク自体をネジ状に加工し、フラップ２０と表示装置５０Ｄとのねじ止めのために用いてもよい。
【００７２】
フラップ２０の光の透過性を保つことができれば、或いは、フレーム１１の内部にうまく隠すことができれば、フレキシブルケーブル７０の代わりに、図３２に示されるように、導電性ペーストにより表示装置５０Ｄと接続された配線材７６が用いられ得る。この場合には、表示装置５０Ｄと配線材７６との接続部分はフレーム１１の内部に設けられて隠される。
【００７３】
図３３，図３４，図３５，図３６は、図９，図１０に示されたフラップ２０への表示の変形例を示す第１〜第４の図である。図９には、セキュリティゲート１のフラップ２０それぞれに、Ｘ形の図形の画像が表示される場合が例示されたが、図３３に示されるように、フラップ２０の両方に渡って、１つのＸ形の図形の画像が表示されてもよい。また、図１０には、セキュリティゲート１のフラップ２０それぞれに、円形の図形の画像が表示される場合が例示されたが、図３４に示されるように、フラップ２０の両方に渡って、１つの円形の図形の画像が表示されてもよい。
【００７４】
図９，図１０に示された円形及びＸ形の図形の画像は、許可及び不許可を示すと、日本語話者以外には必ずしも理解されないことがある。従って、図３５，図３６に示されるように、Ｘ形及び円形の図形の画像の代わりに、「Ｕｎａｃｃｅｔａｂｌｅ」又は「ＯＫ」の文字を、フラップ２０に取り付けられた表示装置５０Ｄに表示することにより、通過の許可及び不許可を、セキュリティゲート１を通行する人に示してもよい。
【００７５】
以下、図２８，図２９に示された表示の変形例を説明する。図３７〜図３９は、フラップ２０及び透明板１３への表示を示す第１〜第３の図である。なお、図３７〜図３９には、図２８，図２９においてとは異なり、フラップ２０のみによらず、フラップ２０及び透明板１３による表示の態様が示される。
【００７６】
何らの表示もされていない状態の透明板１３にフラップ２０が重ねられたときに、図３７に示されるように、制御装置３０は、フラップ２０に取り付けられた表示装置５０に、人が通行する方向を示す右向きの矢形の図形の画像を表示する。さらに、図３８に示されるように、制御装置３０は、透明板１３に取り付けられた表示装置５０Ｄに、フラップ２０に表示された図形と同じ図形の画像を、位置をずらして表示する。このような表示を行うと、図３９に示されるように、フラップ２０が完全に開かれて透明板１３に重ねられたときに、これらに表示された画像に、図２９に示された画像に対してと同様な効果が与えられる。なお、制御装置３０は、透明板１３に取り付けられた表示装置５０Ｄに、フラップ２０に表示された図形と同じ図形の画像を、位置をずらさず重ねて表示してもよい。
【００７７】
図４０は、図３７〜図３９に示されたフラップ２０及び透明板１３への表示の変形例を示す図である。図３７〜図３９には、フラップ２０及び透明板１３に、右向きの矢形の図形の画像が表示される場合が例示されたが、フラップ２０及び透明板１３への表示内容は矢形の図形の画像に限定されず、図４０に示されるように、例えば複数の円形の図形の画像であってもよい。
【００７８】
セキュリティゲート１においては、フラップ２０、透明板１３などの透明な部分に、発光素子６０を含む透明な表示装置５０，５０Ｃ，５０Ｄが配置され、様々な図形、文字、模様などを示す静止画像及び動画像が表示され得る。従って、実施形態に係るセキュリティゲート１によれば、デザイン性及び安全性を確保しつつ、設計の自由度を向上させることができる。
【００７９】
なお、以上、回転により開閉する２つのフラップ２０を有する両開きのセキュリティゲート１が説明されたが、セキュリティゲート１は、フラップ２０を１つだけ有する片開きの形式であってもよい。また、セキュリティゲート１は、横方向にスライドするフラップ２０を有する横スライド形式であってもよい。また、実施形態における表示装置５０，５０Ｃ，５０Ｄによる表示が、フラップ２０及び透明板１３においてなされる場合が説明されたが、表示装置５０，５０Ｃ，５０Ｄの特性が活かせる場所であれば、透明板１２０など、セキュリティゲート１のその他の部分に表示がなされてもよい。
【００８０】
また、各実施形態及び変形例において表示装置５０，５０Ｃ，５０Ｄに含まれる発光素子６０の数及び光の色は、セキュリティゲート１の用途などに応じて、適宜、変更できる。また、透明板１２，１３の形状は、長方形以外、例えば、正方形であってもよい。また、フラップ２０の縦方向及び横方向のサイズは任意であり、フラップ２０の形状は、正方形以外、例えば長方形であってもよい。さらに、フラップ２０の高さ方向の長さは、人の身長を考慮して決められてもよい。
【００８１】
また、表示装置５０Ｄは、マトリクス状に配置され、赤色、緑色及び青色のいずれかの光のみを射出する発光素子６０を含むように構成され得る。さらに、それぞれ赤色、緑色及び青色のいずれかの光により画像の表示を行う３枚の表示装置５０Ｄを、重ね合わせてフラップ２０又は透明板１３に取り付けることもできる。このように３枚の表示装置５０Ｄが取り付けられたフラップ２０又は透明板１３を用いることにより、制御装置３０は、赤色、緑色、青色及びこれらの色の光から合成される色の画像を、フラップ２０又は透明板１３に表示できる。
【００８２】
また、中間樹脂５５として、熱可塑性樹脂以外に、熱硬化性樹脂が用いられることがある。また、表示装置５０は、外的衝撃への対策のために、アクリル板などの間に挟まれてから、透明な接着剤でフラップ２０に接着されてもよい。また、表示装置５０は、接着剤なしにアクリル板などの間に挟まれて支持されてもよい。また、以上、図１０には、２枚の表示装置５０が重ね合わされる場合が示されたが、表示装置５０を、円形の図形の画像と、Ｘ形の図形の画像とを切り替えて表示するように構成してもよい。
【００８３】
また、図３０には、表示装置５０Ｄが防護柵９２に取り付けられる場合が示されたが、表示装置５０Ｄは、自動ドアにおいて、ドア９０の固定部に取り付けられ得、また、電力供給のための工夫をすることにより、ドア９０の摺動部に取り付けられ得る。また、図４０に示された複数の円形の図形それぞれを、赤、緑及び青色（Ｒ，Ｇ，Ｂ）の３色の発光素子６０Ｒ，６０Ｇ，６０Ｂの集合により表示したり、白色の発光素子６０により表示したりすることもできる。
【００８４】
本発明の実施形態が説明されたが、この実施形態は、例として提示されたものであり、発明の範囲を限定することを意図されていない。これら新規な実施形態は、その他の様々な形態で実施されることができ、発明の要旨を逸脱しない範囲で、種々の省略、置き換え、変更され得る。これら実施形態やその変形は、本発明の範囲及び要旨に含まれるとともに、特許請求の範囲に記載された発明とその均等の範囲に含まれる。
【符号の説明】
【００８５】
１  セキュリティゲート
１０  サイドウォル
１０Ａ，１０Ｂ  ゲートユニット
１１  フレーム
１１ａ  固定部
１１ｂ  支持柱
１１ｃ  ガイド
１２，１３，２００  透明板
１４  センサ
１５  読取装置
２０  フラップ
２０２  枠
３０  制御装置
５０  表示装置
５１，５２  透明フィルム
５３  導体層
５５  中間樹脂
６０  発光素子
７０  フレキシブルケーブル
７６  配線材
８０  制御機構
９  自動ドア
９０  ドア
９２  防護柵
【図１】
2019219862.tif 000003
【図２】
2019219862.tif 000004
【図３】
2019219862.tif 000005
【図４】
2019219862.tif 000006
【図５】
2019219862.tif 000007
【図６】
2019219862.tif 000008
【図７】
2019219862.tif 000009
【図８】
2019219862.tif 000010
【図９】
2019219862.tif 000011
【図１０】
2019219862.tif 000012
【図１１】
2019219862.tif 000013
【図１２】
2019219862.tif 000014
【図１３】
2019219862.tif 000015
【図１４】
2019219862.tif 000016
【図１５】
2019219862.tif 000017
【図１６】
2019219862.tif 000018
【図１７】
2019219862.tif 000019
【図１８】
2019219862.tif 000020
【図１９】
2019219862.tif 000021
【図２０】
2019219862.tif 000022
【図２１】
2019219862.tif 000023
【図２２】
2019219862.tif 000024
【図２３】
2019219862.tif 000025
【図２４】
2019219862.tif 000026
【図２５】
2019219862.tif 000027
【図２６】
2019219862.tif 000028
【図２７】
2019219862.tif 000029
【図２８】
2019219862.tif 000030
【図２９】
2019219862.tif 000031
【図３０】
2019219862.tif 000032
【図３１】
2019219862.tif 000033
【図３２】
2019219862.tif 000034
【図３３】
2019219862.tif 000035
【図３４】
2019219862.tif 000036
【図３５】
2019219862.tif 000037
【図３６】
2019219862.tif 000038
【図３７】
2019219862.tif 000039
【図３８】
2019219862.tif 000040
【図３９】
2019219862.tif 000041
【図４０】
2019219862.tif 000042